(57)【要約】【課題】使用者が自ら装飾部品を着脱することにより簡単にデザインを変更することができる眼鏡フレームを提供する。【解決手段】リムレスの眼鏡フレーム１では、両レンズ２が端部に開口する長孔を備え、ヨロイが長孔に入り込む回転止めと、回転止めから突出して形成される雄ネジと、雄ネジと螺合するナットとを備え、回転止めを長孔に入れ込んだ状態で雄ネジにナットを螺合することにより、ヨロイをレンズに取り付ける。また、フルリムの眼鏡フレームでは、フロント部の両端部に長孔を設けて、同様にしてヨロイをフロント部に取り付ける。【選択図】図１
2007139933.tif 000002
【特許請求の範囲】
【請求項１】
一対のレンズがブリッジで連結されると共に両レンズにヨロイが取り付けられ、前記ヨロイに丁番を介してテンプルが回動可能に取り付けられる眼鏡フレームにおいて、
前記両レンズが端部に開口する長孔を備え、前記ヨロイが前記長孔に入り込む回転止めと、前記回転止めから突出して形成される雄ネジと、前記雄ネジと螺合するナットとを備え、
前記回転止めを前記長孔に入れ込んだ状態で、前記雄ネジに前記ナットを螺合することにより前記ヨロイを前記レンズに取り付けることを特徴とする眼鏡フレーム。
【請求項２】
一対のレンズを備えたフロント部の両側にヨロイが取り付けられ、前記ヨロイに丁番を介してテンプルが回動可能に取り付けられる眼鏡フレームにおいて、
前記フロント部が両端部に開口する長孔を備え、前記ヨロイが前記長孔に入り込む回転止めと、前記回転止めから突出して形成される雄ネジと、前記雄ネジと螺合するナットとを備え、
前記回転止めを前記長孔に入れ込んだ状態で、前記雄ネジに前記ナットを螺合することにより前記ヨロイを前記フロント部に取り付けることを特徴とする眼鏡フレーム。
【請求項３】
前記フロント部がその前面にブリッジで連結された一対の遮光レンズを備え、前記両遮光レンズが端部に開口して前記回転止めを入れ込む長孔を備え、
前記ヨロイと前記フロント部との間に前記遮光レンズを挟持させた状態で、前記ヨロイを前記フロント部に取り付けることを特徴とする請求項２に記載の眼鏡フレーム。
【請求項４】
前記フロント部がその前面にワタリを備え、前記ワタリが両端部に開口して前記回転止めを入れ込む長孔を備え、
前記ヨロイと前記フロント部との間に前記ワタリを挟持させた状態で、前記ヨロイを前記フロント部に取り付けることを特徴とする請求項２に記載の眼鏡フレーム。
【請求項５】
前記フロント部がその両端部にフードを備え、前記フードが前記回転止めを入れ込む長孔を備え、
前記フロント部と前記ナットとの間に前記フードを挟持させた状態で、前記ヨロイを前記フロント部に取り付けることを特徴とする請求項２に記載の眼鏡フレーム。
【請求項６】
前記ナットが摘みを備え、手で容易に回転できることを特徴とする請求項１乃至５の何れかに記載の眼鏡フレーム。
【発明の詳細な説明】
【技術分野】
【０００１】
本発明は眼鏡フレームに関し、特に、パーツの交換や装飾部品の取り付け等によって、デザインを変化させることができる眼鏡フレームに関する。
【背景技術】
【０００２】
眼鏡フレームには様々なタイプのものが存在するが、ファッションのアイテムとしてスマートなデザインのものが好まれるようになり、ハーフリムの眼鏡フレームや、ツーポイントのリムレス眼鏡フレームが流行している。これらの眼鏡フレームはシンプルでスマートではあるが、デザインを施すパーツが少なく、アクセントも付け難いことから、個性的なお洒落をするためには物足りなさを感じるものである。
【０００３】
そこで、例えば特許文献１には、レンズの一部にマスキングによる模様塗装等を行う装飾方法が提案されている。この方法は、安定した品質のデザインで眼鏡フレームの装飾性を向上させるものであるが、レンズ面自体に対して粗面加工やカット加工を行うため、一度装飾が施された後はデザインを変更することができないものである。
一方、フルリムの眼鏡フレームにおいては、テンプルやヨロイ等に様々な方法で装飾を施すことが提案されているが、デザインを変更することができる装飾方法は少なく、比較的小さな装飾体を着脱することによって交換可能としたものが提案されている程度である。
【特許文献１】特開平１０−３０７２８１号公報
【発明の開示】
【発明が解決しようとする課題】
【０００４】
したがって、本発明の目的は、デザインを変更することができる眼鏡フレームを提案することであり、使用者が自ら装飾部品を着脱することにより簡単にデザインを変更することができる眼鏡フレームを提案することである。また、一つの眼鏡フレームのデザインを変更して使用することにより、経済的にお洒落を楽しむことができる眼鏡フレームを提供することである。
【課題を解決するための手段】
【０００５】
上記の課題を解決するために、本発明の請求項１に係る眼鏡フレームは、一対のレンズがブリッジで連結されると共に両レンズにヨロイが取り付けられ、前記ヨロイに丁番を介してテンプルが回動可能に取り付けられる眼鏡フレームにおいて、前記両レンズが端部に開口する長孔を備え、前記ヨロイが前記長孔に入り込む回転止めと、前記回転止めから突出して形成される雄ネジと、前記雄ネジと螺合するナットとを備え、前記回転止めを前記長孔に入れ込んだ状態で、前記雄ネジに前記ナットを螺合することにより前記ヨロイを前記レンズに取り付ける手段を採用している。
【０００６】
また、本発明の請求項２に係る眼鏡フレームは、一対のレンズを備えたフロント部の両側にヨロイが取り付けられ、前記ヨロイに丁番を介してテンプルが回動可能に取り付けられる眼鏡フレームにおいて、前記フロント部が両端部に開口する長孔を備え、前記ヨロイが前記長孔に入り込む回転止めと、前記回転止めから突出して形成される雄ネジと、前記雄ネジと螺合するナットとを備え、前記回転止めを前記長孔に入れ込んだ状態で、前記雄ネジに前記ナットを螺合することにより前記ヨロイを前記フロント部に取り付ける手段を採用している。
【０００７】
また、本発明の請求項３に係る眼鏡フレームは、請求項２に記載の眼鏡フレームにおいて、前記フロント部がその前面にブリッジで連結された一対の遮光レンズを備え、前記両遮光レンズが端部に開口して前記回転止めを入れ込む長孔を備え、前記ヨロイと前記フロント部との間に前記遮光レンズを挟持させた状態で、前記ヨロイを前記フロント部に取り付ける手段を採用している。
【０００８】
また、本発明の請求項４に係る眼鏡フレームは、請求項２に記載の眼鏡フレームにおいて、前記フロント部がその前面にワタリを備え、前記ワタリが両端部に開口して前記回転止めを入れ込む長孔を備え、前記ヨロイと前記フロント部との間に前記ワタリを挟持させた状態で、前記ヨロイを前記フロント部に取り付ける手段を採用している。
【０００９】
また、本発明の請求項５に係る眼鏡フレームは、請求項２に記載の眼鏡フレームにおいて、前記フロント部がその両端部にフードを備え、前記フードが前記回転止めを入れ込む長孔を備え、前記フロント部と前記ナットとの間に前記フードを挟持させた状態で、前記ヨロイを前記フロント部に取り付ける手段を採用している。
また、本発明の請求項６に係る眼鏡フレームは、請求項１乃至５の何れかに記載の眼鏡フレームにおいて、前記ナットが摘みを備え、手で容易に回転できる手段を採用している。
【発明の効果】
【００１０】
本発明の眼鏡フレームは、上記の手段を採用することにより、デザインの異なるテンプルを交換して用いたり、デザインの異なるフロント部を交換して用いたりすることができる。また、フロント部の前面に遮光レンズやワタリ等の装飾体を取り付けたり、フロント部の両端部にフード等の装飾体を取り付けたりすることができる。そして、経済的にお洒落を楽しむことができる。
【発明を実施するための最良の形態】
【００１１】
以下、本発明の実施例を図により説明するが、これらの図は本願発明を何ら限定するものではない。最初に、本発明をリムレス眼鏡に用いた場合を図１〜図３に示す。図１は本発明の眼鏡フレームを示す斜視図であり、図２はヨロイの構造を示す分解斜視図（ａ）と分解平面図（ｂ）、図３はヨロイを取り付ける様子を示す説明図である。
【００１２】
本発明の眼鏡フレーム１は、一対のレンズ２がブリッジ３で連結されると共に両レンズ２にヨロイ５が取り付けられ、このヨロイ５に丁番７を介してテンプル６が回動可能に取り付けられている。そして、両レンズ２は端部に開口する長孔２１を備えている。図において、長孔２１の向きは、その長軸が着用時に水平となる方向となっている。しかし、例えば着用時に垂直となる方向等、自由な方向とすることができる。
【００１３】
ヨロイ５は、レンズ２の長孔２１に入り込む回転止め５１と、この回転止め５１から突出して形成される雄ネジ５２と、パッキン５３と、雄ネジ５２と螺合するナット５４とを備えている。回転止め５１の形状は自由であるが、レンズ２に対してヨロイ５が回転したり、ガタを生じたりすることのない形状とする。また、ナット５４は、指先で回転できるように摘み５５を備えたものとすることが好ましい。
【００１４】
図３に示すように、ヨロイ５をレンズ２に取り付ける場合は、予め、パッキン５３とナット５４をヨロイ５に取り付けておき、回転止め５１を長孔２１に入れ込んだ状態で、ナット５４を回して締め付ける。逆に、取り外す場合は、ナット５４を緩めた後、回転止め５１を長孔２１から引き出す。この場合、ナット５４は１８０度の回転で、締め付けたり緩めたりできることが好ましい。
【００１５】
このように、本発明の眼鏡フレーム１は、ヨロイ５の取り付けと取り外しが非常に簡単である。したがって、例えば、色彩の異なるテンプル６のセットを複数用意しておけば、使用者が自由にテンプル６を交換して使用することができる。したがって、シンプルなリムレスの眼鏡フレーム１に対して、豊富なデザインを施すことができる。
【００１６】
次に、本発明をフルリムの眼鏡に用いた場合を図４〜図９に示す。図４は本発明の眼鏡フレーム１１を示す斜視図であり、図５はヨロイを取り付ける様子を示す説明図である。
【００１７】
本願発明の眼鏡フレーム１１は、一対のレンズ２を備えたフロント部８の両側にヨロイ５が取り付けられ、ヨロイ５に丁番７を介してテンプル６が回動可能に取り付けられている。そして、フロント部８は両端部に開口する長孔８１を備えている。図において、長孔８１の向きは、その長軸が着用時に水平となる方向となっている。しかし、例えば着用時に長軸が垂直となる方向等、自由な方向とすることができる。
【００１８】
ヨロイ５は、前述のリムレス眼鏡フレーム１の場合と同様の物である。すなわち、ヨロイ５は、フロント部８の長孔８１に入り込む回転止め５１と、この回転止め５１から突出して形成される雄ネジ５２と、パッキン５３と、雄ネジ５２と螺合するナット５４とを備えている。回転止め５１の形状は自由であるが、フロント部８に対してヨロイ５が回転したり、ガタを生じたりすることのない形状とする。また、ナット５４は、指先で回転できるように摘み５５を備えたものとすることが好ましい。
【００１９】
図５に示すように、ヨロイ５をフロント部８に取り付ける場合は、予め、パッキン５３とナット５４をヨロイ５に取り付けておき、回転止め５１を長孔８１に入れ込んだ状態で、ナット５４を回して締め付ける。逆に、取り外す場合は、ナット５４を緩めた後、回転止め５１を長孔８１から引き出す。この場合、ナット５４は１８０度の回転で、締め付けたり緩めたりできることが好ましい。
【００２０】
このように、本発明の眼鏡フレーム１１は、ヨロイ５の取り付けと取り外しが非常に簡単である。したがって、例えば、色彩の異なるテンプル６のセットを複数個用意しておけば、使用者が自由にテンプル６を交換して使用することができる。また、形状の異なるフロント部８を複数個用意しておけば、フロント部８を交換して使用することができる。したがって、一つの眼鏡フレーム１１に、変化に富んだデザインを施すことができる。
【００２１】
次に、本発明の眼鏡フレーム１１をサングラスとする場合を説明する。図７に示す眼鏡フレーム１２は、フロント部８の前面にブリッジ９２で連結された一対の遮光レンズ９１を備えている。また、図６に示すように、両遮光レンズ９１は端部に開口して回転止め５１を入れ込む長孔９３を備えている。そして、フロント部８の前面に遮光レンズ９１を重ねると、フロント部８の二つの長孔８１と遮光レンズ９１の二つの長孔９３とが合致するように形成されている。
【００２２】
したがって、ヨロイ５とフロント部８との間に遮光レンズ９１を挟持させた状態で、回転止め５１を長孔８１及び長孔９３に入れ込み、雄ネジ５２とナット５４を螺合してヨロイ５をフロント部８に取り付けることにより、サングラス付きの眼鏡フレーム１２とすることができる。この場合、遮光レンズ９１の取り付け及び取り外しも、使用者が自由に行うことができる。
【００２３】
次に、本発明の眼鏡フレーム１１に様々な装飾体を設ける場合について説明する。図８に示す眼鏡フレーム１３は、フロント部８の前面にワタリ９４を備えたものである。ワタリ９４は両端部に開口して回転止め５１を入れ込む長孔９５を備えている。そして、フロント部８の前面にワタリ９４を重ねると、フロント部８の二つの長孔８１とワタリ９４の二つの長孔９５とが合致するように形成されている。
【００２４】
したがって、ヨロイ５とフロント部８との間にワタリ９４を挟持させた状態で、回転止め５１を長孔８１及び長孔９５に入れ込み、雄ネジ５２とナット５４を螺合してヨロイ５をフロント部８に取り付けることにより、ワタリ９４を備えた眼鏡フレーム１３とすることができる。ワタリ９４の着脱も、使用者が自由に行うことができる。
【００２５】
図９に示す眼鏡フレーム１４は、両端部にフード９６を備えたものである。フード９６は回転止め５１を入れ込む長孔９７を有する突出部９８を備えている。したがって、回転止め５１を長孔８１と長孔９７に入れ込み、フロント部８とナット５４との間にフード９６の突出部９８を挟持させた状態で、雄ネジ５２とナット５４を螺合してヨロイ５をフロント部８に取り付けることにより、フード９６を備えた眼鏡フレーム１４とすることができる。フード９６の着脱も、使用者が自由に行うことができる。
【図面の簡単な説明】
【００２６】
【図１】本発明の眼鏡フレームの一例を示す斜視図
【図２】ヨロイの構造を示す分解斜視図（ａ）と分解平面図（ｂ）
【図３】ヨロイをレンズに取り付ける様子を示す説明図
【図４】本発明の別の一例を示す斜視図
【図５】ヨロイをフロント部に取り付ける様子を示す説明図
【図６】遮光レンズを示す斜視図
【図７】遮光レンズを備えた本発明の一例を示す斜視図
【図８】ワタリを備えた本発明の一例を示す斜視図
【図９】フードを備えた本発明の一例を示す斜視図
【符号の説明】
【００２７】
１、１１、１２、１３、１４    眼鏡フレーム
２    レンズ
２１、８１、９３、９５、９７  長孔
３、９２  ブリッジ
５    ヨロイ
５１  回転止め
５２  雄ネジ
５３  パッキン
５４  ナット
５５  摘み
６    テンプル
７    丁番
８    フロント部
９１  遮光レンズ
９４  ワタリ
９６  フード
９８  突出部
【図１】
2007139933.tif 000003
【図２】
2007139933.tif 000004
【図３】
2007139933.tif 000005
【図４】
2007139933.tif 000006
【図５】
2007139933.tif 000007
【図６】
2007139933.tif 000008
【図７】
2007139933.tif 000009
【図８】
2007139933.tif 000010
【図９】
2007139933.tif 000011